(57)【要約】【課題】入力信号や無線システムに使用されているデバイスの非線形性に起因するひずみを補正するために使用される変調器や増幅器のバイアス電圧を一定にすることが可能な無線通信システムを提供する。【解決手段】  識別再生器１０１が、入力されるデータ信号の歪みの程度を一定にするので、異なる歪みの程度を有する様々なデータ信号が入力されても、受信側では常に歪みの補正されたデータ信号が出力される。また、異なる歪みの程度を有する様々なデータ信号が入力されても、歪みを補正するために用いられる変調器１０３のバイアス電圧の入力信号ごとの調整が不要となる。【選択図】図１
2007173960.tif 000002
【特許請求の範囲】
【請求項１】
データ信号が入力される識別再生器と、
キャリア信号を発生するキャリア信号発生器と、
前記識別再生器からのデータ信号を前記キャリア信号に重畳する変調器と、
該変調器に印加するＤＣバイアス電圧の調整が可能なＤＣバイアス電圧源と、
前記変調器からの信号を増幅する増幅器と、
該増幅器からの信号の中の一部帯域を通過させるフィルタと、
該フィルタからの信号を放射させるアンテナとを備える無線送信機ならびに、
前記アンテナからの信号を受信するアンテナと、
該アンテナからの信号の一部帯域を通過させるフィルタと、
該フィルタからの信号を増幅する増幅器と、
該増幅器からの信号からデータ信号を復調する検波器と、
該検波器からのデータ信号が入力される識別再生器とを備える無線受信機
を備え、前記復調されたデータ信号における歪みを前記ＤＣバイアス電圧を調整することで低減させる無線通信システムであって、
前記無線送信機の識別再生器が、該識別再生器に入力されるデータ信号の歪みの程度を一定にすることで前記ＤＣバイアス電圧が一定に保てることを特徴とする無線通信システム。
【請求項２】
データ信号が入力される識別再生器と、
該識別再生器からのデータ信号を増幅するデータ信号増幅器と、
該データ信号増幅器に印加するクロスポイント調整用電圧の調整が可能なクロスポイント調整用電圧源と、
キャリア信号を発生するキャリア信号発生器と、
前記データ信号増幅器からのデータ信号を前記キャリア信号に重畳する変調器と、
該変調器からの信号を増幅する増幅器と、
該増幅器からの信号の中の一部帯域を通過させるフィルタと、
該フィルタからの信号を放射させるアンテナとを備える無線送信機ならびに、
前記アンテナからの信号を受信するアンテナと、
該アンテナからの信号の一部帯域を通過させるフィルタと、
該フィルタからの信号を増幅する増幅器と、
該増幅器からの信号からデータ信号を復調する検波器と、
該検波器からのデータ信号が入力される識別再生器とを備える無線受信機
を備え、前記復調されたデータ信号における歪みを前記クロスポイント調整用電圧を調整することで低減させる無線通信システムであって、
前記無線送信機の識別再生器が、該識別再生器に入力されるデータ信号の歪みの程度を一定にすることで前記クロスポイント調整用電圧が一定に保てることを特徴とする無線通信システム。
【請求項３】
データ信号が入力される識別再生器と、
キャリア信号を発生するキャリア信号発生器と、
前記識別再生器からのデータ信号を前記キャリア信号に重畳する変調器と、
該変調器からの信号を増幅する増幅器と、
該増幅器からの信号の中の一部帯域を通過させるフィルタと、
該フィルタからの信号を放射させるアンテナとを備える無線送信機ならびに、
前記アンテナからの信号を受信するアンテナと、
該アンテナからの信号の一部帯域を通過させるフィルタと、
該フィルタからの信号を増幅する増幅器と、
該増幅器からの信号からデータ信号を復調する検波器と、
該検波器からのデータ信号を増幅するデータ信号増幅器と、
該データ信号増幅器に印加するクロスポイント調整用電圧の調整が可能なクロスポイント調整用電圧源と、
前記データ信号増幅器からデータ信号が入力される識別再生器とを備える無線受信機
を備え、前記復調されたデータ信号における歪みを前記クロスポイント調整用電圧を調整することで低減させる無線通信システムであって、
前記無線送信機の識別再生器が、該識別再生器に入力されるデータ信号の歪みの程度を一定にすることで前記クロスポイント調整用電圧が一定に保てることを特徴とする無線通信システム。
【請求項４】
データ信号が入力される識別再生器と、
光キャリア信号を発生する光キャリア信号発生器と、
前記識別再生器からのデータ信号を前記光キャリア信号に重畳する光変調器と、
該光変調器に印加するＤＣバイアス電圧の調整が可能なＤＣバイアス電圧源と、
前記光変調器からの光信号を電気信号に変換する光電変換素子と、
該光電変換素子からの信号を増幅する増幅器と、
該増幅器からの信号の中の一部帯域を通過させるフィルタと、
該フィルタからの信号を放射させるアンテナとを備える無線送信機ならびに、
前記アンテナからの信号を受信するアンテナと、
該アンテナからの信号の一部帯域を通過させるフィルタと、
該フィルタからの信号を増幅する増幅器と、
該増幅器からの信号からデータ信号を復調する検波器と、
該検波器からのデータ信号が入力される識別再生器とを備える無線受信機
を備え、前記復調されたデータ信号における歪みを前記ＤＣバイアス電圧を調整することで低減させる無線通信システムであって、
前記無線送信機の識別再生器が、該識別再生器に入力されるデータ信号の歪みの程度を一定にすることで前記ＤＣバイアス電圧が一定に保てることを特徴とする無線通信システム。
【請求項５】
前記無線送信機は、入力される光データ信号を電気信号であるデータ信号に変換して当該無線送信機の識別再生器に入力する変換器を備え、
前記無線受信機は、該無線送信機の識別再生器からの電気信号であるデータ信号を光データ信号に変換する変換器を備える
ことを特徴とする請求項１ないし４のいずれかに記載の無線通信システム。
【発明の詳細な説明】
【技術分野】
【０００１】
本発明は、無線通信システムおよび無線通信システムの信号歪み低減方法に関するものである。
【背景技術】
【０００２】
近年では、無線通信で伝送すべきデータ量の増加に対応すべく、ミリ波を用いた無線通信システムが開発されている。例えば、非特許文献１に記載のように、６０ＧＨｚ帯を用い、通信速度が１．２５Ｇｂｐｓに達する無線通信システムも既に開発されている。
【０００３】
図６は、かかる無線通信システムの構成図である。
【０００４】
図６に示す無線通信システムでは、以下のように通信を行う。
【０００５】
無線送信機１Ｆでは、キャリア信号発生器１０２がキャリア信号を発生し、変調器１０３が、入力されるデータ信号をキャリア信号に重畳し、増幅器１０５が変調器１０３からの信号を増幅し、フィルタ１０６が増幅器１０５からの信号の中の一部帯域を通過させ、アンテナ１０７がフィルタ１０６からの信号を放射させる。
【０００６】
無線受信機２Ｅでは、アンテナ２１がアンテナ１０７からの信号を受信し、フィルタ２２がアンテナ２１からの信号の一部帯域を通過させ、増幅器２３がフィルタ２２からの信号を増幅し、検波器２４が増幅器２３からの信号からデータ信号を復調する。
【０００７】
低周波領域に比べ、ミリ波領域では、変調器、増幅器、検波器の非線形性が顕著なため、復調後のデータ信号に歪みが生じ、データ信号のクロスポイントが中心から大きくずれてしまうという問題がある。
【０００８】
また、高周波化に伴って、非特許文献２に記載のように、光技術で無線信号を発生させる無線通信システムの検討も開始されている。
【０００９】
しかし、かかる無線通信システムでのデータ変調に使用される光変調器は非線形性がさらに強いため、復調後のデータ信号の歪みはさらに顕著になる。
【００１０】
このため、かかる無線通信システムでは、線形性維持のため、光変調器の変調度を下げるなどの手法が用いられてきた。
【００１１】
しかし、光変調器の変調度を下げると、光キャリア信号の変調度が低下するため、より大きな受信電力が必要になるいう問題が生じていた。
【非特許文献１】K. Ohata, K. Maruhashi, M. Ito, S. Kishimoto, K. Ikuina, T. Hashiguchi, N. Takahashi, and S. Iwanaga, “Wireless 1.25Gb/s transceiver module at 60GHz-band,”in Tech, Dig, ISSCC 2002, pp.298-299, 2002.
【非特許文献２】A. Hirata, M. Harada, T. Nagatsuma,“12-GHz wireless link using photonic techniques for generation, modulation, and emission of millimeter-wave signals,”IEEE Transactions on Microwave theory and Techniques, Vol. 52, pp. 1843-1850, 2004.
【発明の開示】
【発明が解決しようとする課題】
【００１２】
本発明は、上記の課題に鑑みてなされたものであり、その目的とするところは、入力信号や無線通信システムに使用されているデバイスの非線形性に起因するひずみを補正するために使用される変調器や増幅器のバイアス電圧を一定にすることが可能な無線通信システムを提供することにある。
【課題を解決するための手段】
【００１３】
上記の課題を解決するために、請求項１の本発明は、データ信号が入力される識別再生器と、キャリア信号を発生するキャリア信号発生器と、前記識別再生器からのデータ信号を前記キャリア信号に重畳する変調器と、該変調器に印加するＤＣバイアス電圧の調整が可能なＤＣバイアス電圧源と、前記変調器からの信号を増幅する増幅器と、該増幅器からの信号の中の一部帯域を通過させるフィルタと、該フィルタからの信号を放射させるアンテナとを備える無線送信機ならびに、前記アンテナからの信号を受信するアンテナと、該アンテナからの信号の一部帯域を通過させるフィルタと、該フィルタからの信号を増幅する増幅器と、該増幅器からの信号からデータ信号を復調する検波器と、該検波器からのデータ信号が入力される識別再生器とを備える無線受信機を備え、前記復調されたデータ信号における歪みを前記ＤＣバイアス電圧を調整することで低減させる無線通信システムであって、前記無線送信機の識別再生器が、該識別再生器に入力されるデータ信号の歪みの程度を一定にすることで前記ＤＣバイアス電圧が一定に保てることを特徴とする無線通信システムをもって解決手段とする。
【００１４】
請求項２の本発明は、データ信号が入力される識別再生器と、該識別再生器からのデータ信号を増幅するデータ信号増幅器と、該データ信号増幅器に印加するクロスポイント調整用電圧の調整が可能なクロスポイント調整用電圧源と、キャリア信号を発生するキャリア信号発生器と、前記データ信号増幅器からのデータ信号を前記キャリア信号に重畳する変調器と、該変調器からの信号を増幅する増幅器と、該増幅器からの信号の中の一部帯域を通過させるフィルタと、該フィルタからの信号を放射させるアンテナとを備える無線送信機ならびに、前記アンテナからの信号を受信するアンテナと、該アンテナからの信号の一部帯域を通過させるフィルタと、該フィルタからの信号を増幅する増幅器と、該増幅器からの信号からデータ信号を復調する検波器と、該検波器からのデータ信号が入力される識別再生器とを備える無線受信機を備え、前記復調されたデータ信号における歪みを前記クロスポイント調整用電圧を調整することで低減させる無線通信システムであって、前記無線送信機の識別再生器が、該識別再生器に入力されるデータ信号の歪みの程度を一定にすることで前記クロスポイント調整用電圧が一定に保てることを特徴とする無線通信システムをもって解決手段とする。
【００１５】
請求項３の本発明は、データ信号が入力される識別再生器と、キャリア信号を発生するキャリア信号発生器と、前記識別再生器からのデータ信号を前記キャリア信号に重畳する変調器と、該変調器からの信号を増幅する増幅器と、該増幅器からの信号の中の一部帯域を通過させるフィルタと、該フィルタからの信号を放射させるアンテナとを備える無線送信機ならびに、前記アンテナからの信号を受信するアンテナと、該アンテナからの信号の一部帯域を通過させるフィルタと、該フィルタからの信号を増幅する増幅器と、該増幅器からの信号からデータ信号を復調する検波器と、該検波器からのデータ信号を増幅するデータ信号増幅器と、該データ信号増幅器に印加するクロスポイント調整用電圧の調整が可能なクロスポイント調整用電圧源と、前記データ信号増幅器からデータ信号が入力される識別再生器とを備える無線受信機を備え、前記復調されたデータ信号における歪みを前記クロスポイント調整用電圧を調整することで低減させる無線通信システムであって、前記無線送信機の識別再生器が、該識別再生器に入力されるデータ信号の歪みの程度を一定にすることで前記クロスポイント調整用電圧が一定に保てることを特徴とする無線通信システムをもって解決手段とする。
【００１６】
請求項４の本発明は、データ信号が入力される識別再生器と、光キャリア信号を発生する光キャリア信号発生器と、前記識別再生器からのデータ信号を前記光キャリア信号に重畳する光変調器と、該光変調器に印加するＤＣバイアス電圧の調整が可能なＤＣバイアス電圧源と、前記光変調器からの光信号を電気信号に変換する光電変換素子と、該光電変換素子からの信号を増幅する増幅器と、該増幅器からの信号の中の一部帯域を通過させるフィルタと、該フィルタからの信号を放射させるアンテナとを備える無線送信機ならびに、前記アンテナからの信号を受信するアンテナと、該アンテナからの信号の一部帯域を通過させるフィルタと、該フィルタからの信号を増幅する増幅器と、該増幅器からの信号からデータ信号を復調する検波器と、該検波器からのデータ信号が入力される識別再生器とを備える無線受信機を備え、前記復調されたデータ信号における歪みを前記ＤＣバイアス電圧を調整することで低減させる無線通信システムであって、前記無線送信機の識別再生器が、該識別再生器に入力されるデータ信号の歪みの程度を一定にすることで前記ＤＣバイアス電圧が一定に保てることを特徴とする無線通信システムをもって解決手段とする。
【００１７】
請求項５の本発明は、前記無線送信機は、入力される光データ信号を電気信号であるデータ信号に変換して当該無線送信機の識別再生器に入力する変換器を備え、前記無線受信機は、該無線送信機の識別再生器からの電気信号であるデータ信号を光データ信号に変換する変換器を備えることを特徴とする請求項１ないし４のいずれかに記載の無線通信システムをもって解決手段とする。
【発明の効果】
【００１８】
本発明の無線通信システムによれば、無線送信機の識別再生器が、該識別再生器に入力されるデータ信号の歪みの程度を一定にするので、入力信号や無線通信システムに使用されているデバイスの非線形性に起因するひずみを補正するために使用される変調器や増幅器のバイアス電圧を一定にすることが可能となる。
【００１９】
また、光信号を電気信号に変換して送受信し、光信号に再び変換するので、高い伝送速度の信号を長距離伝送することができる。
【発明を実施するための最良の形態】
【００２０】
以下、本発明の実施の形態を図面を参照して説明する。
【００２１】
［第１の実施の形態］
図１は、本発明の第１の実施の形態に係る無線通信システムの構成図である。
【００２２】
図１に示す無線通信システムは、無線送信機１Ａと、無線受信機２Ａとを備える。
【００２３】
無線送信機１Ａは、データ信号が入力される識別再生器１０１と、キャリア信号を発生するキャリア信号発生器１０２と、識別再生器１０１からのデータ信号をキャリア信号に重畳する変調器１０３と、変調器１０３に印加するＤＣバイアス電圧の調整が可能なＤＣバイアス電圧源１０４と、変調器１０３からの信号を増幅する増幅器１０５と、増幅器１０５からの信号の中の一部帯域を通過させるフィルタ１０６と、フィルタ１０６からの信号を放射させるアンテナ１０７とを備える。
【００２４】
変調器１０３にはダイオードなどの非線形素子が用いられ、ＤＣバイアス電圧による非線形性の制御が可能となっている。
【００２５】
無線受信機２Ａは、アンテナ１０７からの信号を受信するアンテナ２１と、アンテナ２１からの信号の一部帯域を通過させるフィルタ２２と、フィルタ２２からの信号を増幅する増幅器２３と、増幅器２３からの信号からデータ信号を復調する検波器２４と、検波器２４からのデータ信号が入力される識別再生器２５とを備える。
【００２６】
（第１の実施の形態の動作）
次に、第１の実施の形態の動作を説明する。
【００２７】
無線送信機１Ａでは、識別再生器１０１は、入力されるデータ信号の歪みの程度を一定にし、キャリア信号発生器１０２はキャリア信号を発生する。
【００２８】
識別再生器１０１は、与えられるタイミングパルスによりデータ信号の振幅を閾値判定し、判定結果に応じて高電圧または低電圧を出力することで、データ信号の歪みの程度を一定にする。かかる動作は他の識別再生器でも同様である。
【００２９】
ＤＣバイアス電圧源１０４は、ＤＣバイアス電圧を変調器１０３に印加し、変調器１０３は、識別再生器１０１からのデータ信号をキャリア信号に重畳する。増幅器１０５は変調器１０３からの信号を増幅し、フィルタ１０６が増幅器１０５からの信号の中の一部帯域を通過させ、アンテナ１０７がフィルタ１０６からの信号を放射させる。
【００３０】
無線受信機２Ａでは、アンテナ２１がアンテナ１０７からの信号を受信し、フィルタ２２がアンテナ２１からの信号の一部帯域を通過させる。増幅器２３はフィルタ２２からの信号を増幅し、検波器２４が増幅器２３からの信号からデータ信号を復調する。識別再生器２５は、検波器２４からのデータ信号の歪みの程度を一定にする。
【００３１】
復調後のデータ信号においては、識別再生器、増幅器、フィルタ、検波器などが原因で信号歪みが生じ、データ信号のクロスポイントが中心からずれてしまうことがある。
【００３２】
ＤＣバイアス電圧源１０４から変調器１０３に印加するＤＣバイアス電圧を調整することで、変調器１０３の非線形性が制御されるので、当該歪みを低減することができる。
【００３３】
復調後のデータ信号のクロスポイントが中心になるようにＤＣバイアス電圧を調整することにより歪みを最も低減することができる。
【００３４】
ところで、識別再生器１０１に入力されるデータ信号の歪みの程度は多様なので、仮にこのデータ信号が変調器１０３へ入力されると、復調後のデータ信号のクロスポイントが中心からずれ、信号歪みを常に低減できない場合がある。信号歪みを常に低減しようとすると、その都度、ＤＣバイアス電圧を調整する必要がある。
【００３５】
しかしながら、ここでは、識別再生器１０１が、入力されるデータ信号の歪みの程度を一定にするので、異なる歪みの程度を有する様々なデータ信号が入力されても、受信側では常に歪みの補正されたデータ信号が出力される。また、異なる歪みの程度を有する様々なデータ信号が入力されても、歪みを補正するために用いられるバイアス電圧の入力信号ごとの調整が不要となる。
【００３６】
なお、識別再生器２５に代えて、その機能を有するクロック再生器を用いてもよい。
【００３７】
［第２の実施の形態］
図２は、本発明の第２の実施の形態に係る無線通信システムの構成図である。ここでは、無線送信機内で使用する同一名称には同一符号を用い、無線受信機内で使用する同一名称には同一符号を用いる。第３の実施の形態以降でも同様である。
【００３８】
図２に示す無線通信システムは、無線送信機１Ｂと、無線受信機２Ｂとを備える。
【００３９】
無線送信機１Ｂは、データ信号が入力される識別再生器１０１と、識別再生器１０１からのデータ信号を増幅するデータ信号増幅器１０８と、データ信号増幅器１０８に印加するクロスポイント調整用電圧（ＤＣバイアス電圧）の調整が可能なクロスポイント調整用電圧源１０９と、キャリア信号を発生するキャリア信号発生器１０２と、データ信号増幅器１０８からのデータ信号をキャリア信号に重畳する変調器１０３と、変調器１０３からの信号を増幅する増幅器１０５と、増幅器１０５からの信号の中の一部帯域を通過させるフィルタ１０６と、フィルタ１０６からの信号を放射させるアンテナ１０７とを備える。  データ信号増幅器１０８は、クロスポイント調整用電圧による非線形性の制御が可能となっている。
【００４０】
なお、無線送信機１Ｂは、変調器１０３にＤＣバイアス電圧を印加する電圧源を備えるが、ここでは図示省略している。
【００４１】
無線受信機２Ｂは、アンテナ１０７からの信号を受信するアンテナ２１と、アンテナ２１からの信号の一部帯域を通過させるフィルタ２２と、フィルタ２２からの信号を増幅する増幅器２３と、増幅器２３からの信号からデータ信号を復調する検波器２４と、検波器２４からのデータ信号を増幅するデータ信号増幅器２６と、データ信号増幅器２６からのデータ信号からクロック信号を再生するクロック再生器２７と、クロック再生器２７を通過したデータ信号が入力される識別再生器２５とを備える。
【００４２】
なお、無線受信機２Ｂは、データ信号増幅器２６にＤＣバイアス電圧を印加する電圧源を備えるが、ここでは図示省略している。
【００４３】
（第２の実施の形態の動作）
次に、第２の実施の形態の動作を説明する。
【００４４】
無線送信機１Ｂでは、識別再生器１０１は、入力されるデータ信号の歪みの程度を一定にし、キャリア信号発生器１０２はキャリア信号を発生する。クロスポイント調整用電圧源１０９は、クロスポイント調整用電圧（ＤＣバイアス電圧）をデータ信号増幅器１０８に印加し、データ信号増幅器１０８は識別再生器１０１からのデータ信号を増幅する。変調器１０３はデータ信号増幅器１０８からのデータ信号をキャリア信号に重畳し、増幅器１０５は変調器１０３からの信号を増幅する。フィルタ１０６は増幅器１０５からの信号の中の一部帯域を通過させ、アンテナ１０７はフィルタ１０６からの信号を放射させる。
【００４５】
無線受信機２Ａでは、アンテナ２１がアンテナ１０７からの信号を受信し、フィルタ２２がアンテナ２１からの信号の一部帯域を通過させる。増幅器２３はフィルタ２２からの信号を増幅し、検波器２４が増幅器２３からの信号からデータ信号を復調する。データ信号増幅器２６は検波器２４からのデータ信号を増幅し、クロック再生器２７はデータ信号増幅器２６からのデータ信号に含まれるクロック信号を再生する。識別再生器２５は、クロック再生器２７を通過した、検波器２４からのデータ信号の歪みの程度を一定にする。クロック信号は、識別再生器２５からの信号を処理する際に使用される。
【００４６】
復調後のデータ信号においては、識別再生器、増幅器、フィルタ、検波器などが原因で信号歪みが生じ、データ信号のクロスポイントが中心からずれてしまうことがある。
【００４７】
クロスポイント調整用電圧源１０９からデータ信号増幅器１０８へ印加するクロスポイント調整用電圧（ＤＣバイアス電圧）を調整することで、データ信号増幅器１０８の非線形性が制御されるので、当該歪みを低減することができる。
【００４８】
復調後のデータ信号のクロスポイントが中心になるようにクロスポイント調整用電圧を調整することにより歪みを最も低減することができる。
【００４９】
また、識別再生器１０１が、入力されるデータ信号の歪みの程度を一定にするので、異なる歪みの程度を有する様々なデータ信号が入力されても、受信側では常に歪みの補正されたデータ信号が出力される。また、異なる歪みの程度を有する様々なデータ信号が入力されても、歪みを補正するために用いられるバイアス電圧の入力信号ごとの調整が不要となる。
【００５０】
また、クロック信号が、識別再生器２５からの信号を処理する際に使用されることで、本実施の形態の無線通信システムの伝送特性が向上する。
【００５１】
なお、データ信号増幅器２６、クロック再生器２７は必須ではなく、一方または両方を用いないでもよい。
【００５２】
［第３の実施の形態］
図３は、本発明の第３の実施の形態に係る無線通信システムの構成図である。
【００５３】
図３に示す無線通信システムは、無線送信機１Ｃと、無線受信機２Ｃとを備える。
【００５４】
無線送信機１Ｃは、データ信号が入力される識別再生器１０１と、識別再生器１０１からのデータ信号を増幅するデータ信号増幅器１０８と、キャリア信号を発生するキャリア信号発生器１０２と、データ信号増幅器１０８からのデータ信号をキャリア信号に重畳する変調器１０３と、変調器１０３からの信号を増幅する増幅器１０５と、増幅器１０５からの信号の中の一部帯域を通過させるフィルタ１０６と、フィルタ１０６からの信号を放射させるアンテナ１０７とを備える。
【００５５】
なお、無線送信機１Ｃは、変調器１０３にＤＣバイアス電圧を印加する電圧源を備えるが、ここでは図示省略している。また、無線送信機１Ｃは、データ信号増幅器１０８にＤＣバイアス電圧を印加する電圧源を備えるが、ここでは図示省略している。
【００５６】
無線受信機２Ｃは、アンテナ１０７からの信号を受信するアンテナ２１と、アンテナ２１からの信号の一部帯域を通過させるフィルタ２２と、フィルタ２２からの信号を増幅する増幅器２３と、増幅器２３からの信号からデータ信号を復調する検波器２４と、検波器２４からのデータ信号を増幅するデータ信号増幅器２６と、データ信号増幅器２６に印加するクロスポイント調整用電圧（ＤＣバイアス電圧）の調整が可能なクロスポイント調整用電圧源２８と、データ信号増幅器２６からのデータ信号からクロック信号を再生するクロック再生器２７と、クロック再生器２７を通過したデータ信号が入力される識別再生器２５とを備える。
【００５７】
データ信号増幅器２６は、クロスポイント調整用電圧による非線形性の制御が可能となっている。
【００５８】
（第３の実施の形態の動作）
次に、第３の実施の形態の動作を説明する。
【００５９】
無線送信機１Ｃでは、識別再生器１０１は、入力されるデータ信号の歪みの程度を一定にし、キャリア信号発生器１０２はキャリア信号を発生する。データ信号増幅器１０８は識別再生器１０１からのデータ信号を増幅する。変調器１０３はデータ信号増幅器１０８からのデータ信号をキャリア信号に重畳し、増幅器１０５は変調器１０３からの信号を増幅する。フィルタ１０６は増幅器１０５からの信号の中の一部帯域を通過させ、アンテナ１０７はフィルタ１０６からの信号を放射させる。
【００６０】
無線受信機２Ｃでは、アンテナ２１がアンテナ１０７からの信号を受信し、フィルタ２２がアンテナ２１からの信号の一部帯域を通過させる。増幅器２３はフィルタ２２からの信号を増幅し、検波器２４が増幅器２３からの信号からデータ信号を復調する。クロスポイント調整用電圧源２８は、クロスポイント調整用電圧（ＤＣバイアス電圧）をデータ信号増幅器２６に印加し、データ信号増幅器２６は検波器２４からのデータ信号を増幅する。クロック再生器２７はデータ信号増幅器２６からのデータ信号に含まれるクロック信号を再生する。識別再生器２５は、クロック再生器２７を通過した、検波器２４からのデータ信号の歪みの程度を一定にする。クロック信号は、識別再生器２５からの信号を処理する際に使用される。
【００６１】
復調後のデータ信号においては、識別再生器、増幅器、フィルタ、検波器などが原因で信号歪みが生じ、データ信号のクロスポイントが中心からずれてしまうことがある。
【００６２】
クロスポイント調整用電圧源２８からデータ信号増幅器２６へ印加するクロスポイント調整用電圧（ＤＣバイアス電圧）を調整することで、データ信号増幅器２６の非線形性が制御されるので、当該歪みを低減することができる。
【００６３】
復調後のデータ信号のクロスポイントが中心になるようにクロスポイント調整用電圧を調整することにより歪みを最も低減することができる。
【００６４】
また、識別再生器１０１が、入力されるデータ信号の歪みの程度を一定にするので、異なる歪みの程度を有する様々なデータ信号が入力されても、受信側では常に歪みの補正されたデータ信号が出力される。また、異なる歪みの程度を有する様々なデータ信号が入力されても、歪みを補正するために用いられるバイアス電圧の入力信号ごとの調整が不要となる。
【００６５】
また、クロック信号が、識別再生器２５からの信号を処理する際に使用されることで、本実施の形態の無線通信システムの伝送特性が向上する。
【００６６】
なお、データ信号増幅器１０８、クロック再生器２７は必須ではなく、一方または両方を用いないでもよい。
【００６７】
［第４の実施の形態］
図４は、本発明の第４の実施の形態に係る無線通信システムの構成図である。
【００６８】
図４に示す無線通信システムは、無線送信機１Ｄと、無線受信機２Ｂとを備える。
【００６９】
無線送信機１Ｄは、データ信号が入力される識別再生器１０１と、識別再生器１０１からのデータ信号を増幅するデータ信号増幅器１０８と、光キャリア信号を発生する光キャリア信号発生器１１０と、データ信号増幅器１０８からのデータ信号を光キャリア信号に重畳する光変調器１１１と、光変調器１１１に印加するＤＣバイアス電圧の調整が可能なＤＣバイアス電圧源１１２と、光変調器１１１からの光信号を電気信号に変換する光電変換素子（例えば、ホトダイオードやホトトランジスタ）１１３と、光電変換素子１１３からの信号を増幅する増幅器１０５と、増幅器１０５からの信号の中の一部帯域を通過させるフィルタ１０６と、フィルタ１０６からの信号を放射させるアンテナ１０７とを備える。
【００７０】
光変調器１０３は、ＬｉＮｂＯ３光変調器等であり、ＤＣバイアス電圧による非線形性の制御が可能となっている。
【００７１】
なお、無線送信機１Ｄは、データ信号増幅器１０８にＤＣバイアス電圧を印加する電圧源を備えるが、ここでは図示省略している。
【００７２】
無線受信機２Ｂの構成説明は、第２の実施の形態で行っているので、ここでは省略する。
【００７３】
（第４の実施の形態の動作）
次に、第４の実施の形態の動作を説明する。
【００７４】
無線送信機１Ｄでは、識別再生器１０１は、入力されるデータ信号の歪みの程度を一定にし、光キャリア信号発生器１１０は光信号である光キャリア信号を発生する。データ信号増幅器１０８は識別再生器１０１からのデータ信号を増幅する。ＤＣバイアス電圧源１１２はＤＣバイアス電圧を光変調器１１１に印加し、光変調器１１１はデータ信号増幅器１０８からのデータ信号を光キャリア信号に重畳する。光電変換素子１１３は光変調器１１１からの光信号を電気信号に変換し、増幅器１０５は光電変換素子１１３からの信号を増幅する。フィルタ１０６は増幅器１０５からの信号の中の一部帯域を通過させ、アンテナ１０７はフィルタ１０６からの信号を放射させる。
【００７５】
無線受信機２Ｂでの動作説明は、第２の実施の形態で行っているので、ここでは省略する。
【００７６】
復調後のデータ信号においては、識別再生器、増幅器、フィルタ、検波器などが原因で信号歪みが生じ、データ信号のクロスポイントが中心からずれてしまうことがある。
【００７７】
ＤＣバイアス電圧源１１２から光変調器１１１に印加するＤＣバイアス電圧を調整することで、光変調器１１１の変調における非線形性が制御されるので、当該歪みを低減することができる。
【００７８】
復調後のデータ信号のクロスポイントが中心になるようにＤＣバイアス電圧を調整することにより歪みを最も低減することができる。
【００７９】
また、識別再生器１０１が、入力されるデータ信号の歪みの程度を一定にするので、異なる歪みの程度を有する様々なデータ信号が入力されても、受信側では常に歪みの補正されたデータ信号が出力される。また、異なる歪みの程度を有する様々なデータ信号が入力されても、歪みを補正するために用いられるバイアス電圧の入力信号ごとの調整が不要となる。
【００８０】
また、クロック信号が、識別再生器２５からの信号を処理する際に使用されることで、本実施の形態の無線通信システムの伝送特性が向上する。
【００８１】
なお、データ信号増幅器１０８、２６、クロック再生器２７は必須ではなく、いずれか１つまたは２つまたは全てを用いないでもよい。
【００８２】
［第５の実施の形態］
図５は、本発明の第５の実施の形態に係る無線通信システムの構成図である。
【００８３】
図５に示す無線送信機１Ｅは、無線送信機１Ａに対し、入力される光データ信号を電気信号であるデータ信号に変換して識別再生器１０１に入力する変換器１１４を設けたものである。
【００８４】
図５に示す無線受信機２Ｄは、無線受信機２Ａに対し、識別再生器２５からの電気信号であるデータ信号を光データ信号に変換する変換器２９を設けたものである。
【００８５】
無線送信機１Ｅでは、変換器１１４が、入力される光信号である光データ信号を電気信号であるデータ信号に変換して識別再生器１０１に入力する。その他の動作は、無線送信機１Ａと同様である。
【００８６】
無線受信機２Ｄでは、変換器２９が識別再生器２５からの電気信号であるデータ信号を光信号である光データ信号に変換する。その他の動作は、無線受信機２Ａと同様である。  このように、第５の実施の形態では、光信号を電気信号に変換して送受信し、光信号に再び変換するので、１Ｇｂｐｓを超えるような伝送速度の信号を長距離伝送することができる。
【００８７】
ところで、変換器１１４に入力される光データ信号は、長距離伝送の過程で印加される強度雑音やジッタなどにより、その歪みの程度は多様なので、仮に変換器１１４からのデータ信号が変調器１０３へ入力されると、復調後のデータ信号のクロスポイントが中心からずれ、信号歪みを常に低減できない場合がある。信号歪みを常に低減しようとすると、その都度、ＤＣバイアス電圧を調整する必要がある。
【００８８】
しかしながら、ここでは、識別再生器１０１が、入力されるデータ信号の歪みの程度を一定にするので、異なる歪みの程度を有する様々なデータ信号が入力されても、受信側では常に歪みの補正されたデータ信号が出力される。また、異なる歪みの程度を有する様々なデータ信号が入力されても、歪みを補正するために用いられるバイアス電圧の入力信号ごとの調整が不要となる。
【００８９】
なお、各変換器１１４、２９は、第２、第３または第４の実施の形態で用いてもよい。
【図面の簡単な説明】
【００９０】
【図１】本発明の第１の実施の形態に係る無線通信システムの構成図である。
【図２】本発明の第２の実施の形態に係る無線通信システムの構成図である。
【図３】本発明の第３の実施の形態に係る無線通信システムの構成図である。
【図４】本発明の第４の実施の形態に係る無線通信システムの構成図である。
【図５】本発明の第５の実施の形態に係る無線通信システムの構成図である。
【図６】従来の無線通信システムの構成図である。
【符号の説明】
【００９１】
１Ａ、１Ｂ、１Ｃ、１Ｄ、１Ｅ、１Ｆ…無線送信機
２Ａ、２Ｂ、２Ｃ、２Ｄ、２Ｅ…無線受信機
２１、１０７…アンテナ
２２、１０６…フィルタ
２３、１０５…増幅器
２４…検波器
２５、１０１…識別再生器
２６、１０８…データ信号増幅器
２７…クロック再生器
２８、１０９…クロスポイント調整用電圧源
２９、１１４…変換器
１０２…キャリア信号発生器
１０３…変調器
１０４、１１２…ＤＣバイアス電圧源
１１０…光キャリア信号発生器
１１１…光変調器
１１３…光電変換素子
【図１】
2007173960.tif 000003
【図２】
2007173960.tif 000004
【図３】
2007173960.tif 000005
【図４】
2007173960.tif 000006
【図５】
2007173960.tif 000007
【図６】
2007173960.tif 000008